(57)【特許請求の範囲】
【請求項１】
本体と、該本体の内部に設けられる作動部材と、該作動部材の下部に設けられ、該作動部材により制御される針座とを備える安全採血装置であって、
前記作動部材は、前記本体に固定される固定座と、採血時に前記針座内の針を下方に押圧して針座外に露出させるための押圧部材と、該押圧部材の上下動を制御するための制御部材と、前記押圧部材に下方への付勢力を付与するための第２弾力部材と、使用済みの針座を新しい針座に交換するときに該使用済みの針座を前記固定座の下方から露出させるための押圧座とを有し、
前記固定座は、下部に前記新しい針座を挿入すべく内径が針座の外径と等しいパイプであり、中段の内側には、前記押圧部材の移動を案内するために前記内径より小径の内径に形成された内フランジ状の係合ブロックが設けられると共に、該係合ブロックの上方に固定座の軸方向に沿った長方形の貫通長孔が形成され、
前記制御部材は、外径が前記固定座の係合ブロックの上方における内径と等しく、該固定座の上部に位置すると共に、該固定座の内部に挿入されるパイプであり、
下端の内側には、前記押圧部材の移動を許容するトリガーとなるための、固定座の係合ブロックの内径より小さい内径を有する止めリングが設けられると共に、外周壁に自由端が制御部材から離れる複数の第１弾性プレートが設けられ、該第１弾性プレートの自由端が固定座の前記貫通長孔に摺動可能に挿入され、
前記押圧部材は、前記固定座の内部に挿入されると共に、下端の外径が前記制御部材の止めリングの内径より小さいロッドであり、中段に外径がより小さい頚部が形成され、上端に外径が止めリングの内径より大きく、かつ、前記制御部材の内部の中段下方に挿入されるヘッドが設けられ、該ヘッドの下側に頚部まで延伸され、自由端が押圧部材から離れると共に、前記係合ブロックに係離する複数の第２弾性プレートが設けられ、
前記第２弾力部材は、押圧部材の上方における制御部材の内部に設けられ、
前記押圧座は、内径が前記固定座の外径と等しいと共に、固定座の上端を摺動可能に嵌入させるパイプであり、上端の外側には、上下方向において固定座の前記貫通長孔と相互に位置ずれすることができ、且つ固定座の円周方向において相互に位置ずれすることができない、前記第１弾性プレートと係離する位置決めブロックが設けられると共に、下端に前記針座を前記固定座の下端から露出させるための制御ロッドが設けられ、
前記制御部材が外部から押圧動作を受けると、前記第１弾性プレートの自由端が、前記固定座の貫通長孔内を摺動移動し、前記自由端が前記係合ブロックの上端に到達するまでは、前記第２弾力部材の下方への付勢力により該自由端を係合ブロックの上端に係止させ、
前記第１弾性プレートの自由端が、前記係合ブロックの上端に到達した時点で、前記制御部材の止めリングが、前記第１弾性プレートの自由端をすぼめることで、該第１弾性プレートの該係合ブロックの上端に対する係止を解除させ、
もはや前記固定座の係合ブロックに係止していない前記押圧部材の全体を、前記第２弾力部材の下方への付勢力により前記係合ブロックの内部を通過させて下方に押し下げることにより、前記針座内から前記針を外部に露出させて採血し、
該採血後に、前記押圧座を外部から押し下げることにより、前記使用済みの針座を前記固定座の下方から排出して新しい針座と交換することを特徴とする安全採血装置。
【請求項２】
前記針座は、一端が開口端であると共に、他端が封閉端である外カバーと、中心プレートとを有し、
該外カバーの内側に複数の凹部が形成されると共に、外側に複数のリブが設けられ、開放端の付近に止め部が設けられると共に、封閉端の中央に貫通孔が形成され、
前記外カバーの内部に下端が貫通孔から突出する中心プレートが設けられ、
該中心プレートの上端に上ブロックが設けられ、
該上ブロックの上端に外カバーの凹部と対応する突出ブロックが設けられると共に、
下端の中心プレートの外側に第１弾力部材が設けられ、
該中心プレートの中段に針が内蔵されると共に、該針に対応する中心プレートの外側に折り部が設けられることを特徴とする請求項１に記載の安全採血装置。
【請求項３】
固定座の中段の外側に相互に平行すると共に、異なる外径を有する複数のリング状ブロックが設けられ、該リング状ブロックに夫々切欠きが形成され、該固定座の上端の内側に複数の位置決め溝が形成され、又、該固定座の下端に略十字形の案内溝が形成されると共に、内側に外カバーのリブに対応する凹溝が形成され、
前記制御部材の上部の外側に突出部が設けられると共に、内側の下部に止めリングが設けられ、該突出部の下側に夫々制御部材の両側に位置する２つの突出ロッドが設けられることを特徴とする請求項２に記載の安全採血装置。
【請求項４】
前記押圧座の位置決めブロックの相隣側に制御ボタンが設けられると共に、該制御ボタンの下側に制御ロッドが設けられ、該制御ロッドの下端の内側に横断面がT字形の案内ブロックが設けられることを特徴とする請求項３に記載の安全採血装置。
【請求項５】
前記本体は、第１側カバーと、第２側カバーと、前カバー部と、後リングと、後カバーからなり、該第１側カバーと第２側カバーは、相互に結合される半円形のプレートであり、その内側の下部に夫々間隔の位置決め部が設けられると共に、上端と下端に夫々C字形溝が形成され、該第１側カバーの中央に溝が形成され、
前記前カバー部は、上端に第１側カバーと第２側カバーを収容するため開口が形成される筒体であり、その上端の内側に第１側カバーと第２側カバーの下端におけるC字形溝と
係合される係合リングが設けられ、
前記後リングは、前記本体の上端に設けられ、前記後リングの下端の内側に第１側カバーと第２側カバーの上端におけるC字形溝と係合される係合リングが設けられ、
前記後カバーは、前記後リングを経由して作動部材と結合され、前記後カバーの下端に結合端が設けられることを特徴とする請求項４に記載の安全採血装置。   
【発明の詳細な説明】
【技術分野】
【０００１】
本発明は、特に少量の血液を採取するために用いられる安全採血装置に関するものである。
【背景技術】
【０００２】
血液又は血糖濃度の検査時には、少量の血液でよいため、注射器の代わりに、採血装置が用いられており、従来の採血装置は、繰り返して使用することが可能である。尚、前記採血装置はよく使用される医療器具であることから、調査の結果、特に特許文献又は非特許文献には記載されていなかった。
【発明の開示】
【発明が解決しようとする課題】
【０００３】
しかしながら、前記従来の採血装置は、繰り返して使用することができることから、医師や看護婦の不注意により、使用した針を交換しないまま再使用し、採血した人にウィルスなどが感染することがあった。
【０００４】
そこで、出願されたのが本発明であって、使用後には、必ず針座を交換した後でなければ、再使用できない安全採血装置を提供することを目的としている。
【課題を解決するための手段】
【０００５】
本願の請求項１の発明は、本体と、該本体の内部に設けられる作動部材と、該作動部材の下部に設けられ、該作動部材により制御される針座とを備える安全採血装置であって、
前記作動部材は、前記本体に固定される固定座と、採血時に前記針座内の針を下方に押圧して針座外に露出させるための押圧部材と、該押圧部材の上下動を制御するための制御部材と、前記押圧部材に下方への付勢力を付与するための第２弾力部材と、使用済みの針座を新しい針座に交換するときに該使用済みの針座を前記固定座の下方から露出させるための押圧座とを有し、前記固定座は、下部に前記新しい針座を挿入すべく内径が針座の外径と等しいパイプであり、中段の内側には、前記押圧部材の移動を案内するために前記内径より小径の内径に形成された内フランジ状の係合ブロックが設けられると共に、該係合ブロックの上方に固定座の軸方向に沿った長方形の貫通長孔が形成され、前記制御部材は、外径が前記固定座の係合ブロックの上方における内径と等しく、該固定座の上部に位置すると共に、該固定座の内部に挿入されるパイプであり、下端の内側には、前記押圧部材の移動を許容するトリガーとなるための、固定座の係合ブロックの内径より小さい内径を有する止めリングが設けられると共に、外周壁に自由端が制御部材から離れる複数の第１弾性プレートが設けられ、該第１弾性プレートの自由端が固定座の前記貫通長孔に摺動可能に挿入され、前記押圧部材は、前記固定座の内部に挿入されると共に、下端の外径が前記制御部材の止めリングの内径より小さいロッドであり、中段に外径がより小さい頚部が形成され、上端に外径が止めリングの内径より大きく、かつ、前記制御部材の内部の中段下方に挿入されるヘッドが設けられ、該ヘッドの下側に頚部まで延伸され、自由端が押圧部材から離れると共に、前記係合ブロックに係離する複数の第２弾性プレートが設けられ、前記第２弾力部材は、押圧部材の上方における制御部材の内部に設けられ、前記押圧座は、内径が前記固定座の外径と等しいと共に、固定座の上端を摺動可能に嵌入させるパイプであり、上端の外側には、上下方向において固定座の前記貫通長孔と相互に位置ずれすることができ、且つ固定座の円周方向において相互に位置ずれすることができない、前記第１弾性プレートと係離する位置決めブロックが設けられると共に、下端に前記針座を前記固定座の下端から露出させるための制御ロッドが設けられ、前記制御部材が外部から押圧動作を受けると、前記第１弾性プレートの自由端が、前記固定座の貫通長孔内を摺動移動し、前記自由端が前記係合ブロックの上端に到達するまでは、前記第２弾力部材の下方への付勢力により該自由端を係合ブロックの上端に係止させ、前記第１弾性プレートの自由端が、前記係合ブロックの上端に到達した時点で、前記制御部材の止めリングが、前記第１弾性プレートの自由端をすぼめることで、該第１弾性プレートの該係合ブロックの上端に対する係止を解除させ、もはや前記固定座の係合ブロックに係止していない前記押圧部材の全体を、前記第２弾力部材の下方への付勢力により前記係合ブロックの内部を通過させて下方に押し下げることにより、前記針座内から前記針を外部に露出させて採血し、
該採血後に、前記押圧座を外部から押し下げることにより、前記使用済みの針座を前記固定座の下方から排出して新しい針座と交換することを特徴とする安全採血装置を提供する。
本願の請求項２の発明は、前記針座は、一端が開口端であると共に、他端が封閉端である外カバーと、中心プレートとを有し、該外カバーの内側に複数の凹部が形成されると共に、外側に複数のリブが設けられ、開放端の付近に止め部が設けられると共に、封閉端の中央に貫通孔が形成され、前記外カバーの内部に下端が貫通孔から突出する中心プレートが設けられ、該中心プレートの上端に上ブロックが設けられ、該上ブロックの上端に外カバーの凹部と対応する突出ブロックが設けられると共に、下端の中心プレートの外側に第１弾力部材が設けられ、該中心プレートの中段に針が内蔵されると共に、該針に対応する中心プレートの外側に折り部が設けられることを特徴とする請求項１に記載の安全採血装置を提供する。
本願の請求項３の発明は、固定座の中段の外側に相互に平行すると共に、異なる外径を有する複数のリング状ブロックが設けられ、該リング状ブロックに夫々切欠きが形成され、該固定座の上端の内側に複数の位置決め溝が形成され、又、該固定座の下端に略十字形の案内溝が形成されると共に、内側に外カバーのリブに対応する凹溝が形成され、前記制御部材の上部の外側に突出部が設けられると共に、内側の下部に止めリングが設けられ、該突出部の下側に夫々制御部材の両側に位置する２つの突出ロッドが設けられることを特徴とする請求項２に記載の安全採血装置を提供する。
本願の請求項４の発明は、前記押圧座の位置決めブロックの相隣側に制御ボタンが設けられると共に、該制御ボタンの下側に制御ロッドが設けられ、該制御ロッドの下端の内側に横断面がT字形の案内ブロックが設けられることを特徴とする請求項３に記載の安全採血装置を提供する。
本願の請求項５の発明は、前記本体は、第１側カバーと、第２側カバーと、前カバー部と、後リングと、後カバーからなり、該第１側カバーと第２側カバーは、相互に結合される半円形のプレートであり、その内側の下部に夫々間隔の位置決め部が設けられると共に、上端と下端に夫々C字形溝が形成され、該第１側カバーの中央に溝が形成され、前記前カバー部は、上端に第１側カバーと第２側カバーを収容するため開口が形成される筒体であり、その上端の内側に第１側カバーと第２側カバーの下端におけるC字形溝と係合される係合リングが設けられ、前記後リングは、前記本体の上端に設けられ、前記後リングの下端の内側に第１側カバーと第２側カバーの上端におけるC字形溝と係合される係合リングが設けられ、前記後カバーは、前記後リングを経由して作動部材と結合され、前記後カバーの下端に結合端が設けられることを特徴とする請求項４に記載の安全採血装置を提供する。
【発明の効果】
【０００６】
本発明は上記の課題を解決するものであり、使用後には、必ず針座を交換した後でなければ、再使用できないので、採血を行った人にウィルスなどが感染されることはない。
【発明を実施するための最良の形態】
【０００７】
以下、添付図面を参照して本発明の好適な実施の形態を詳細に説明する。
【０００８】
まず、図１〜図５を参照して、本発明に係る安全採血装置の構成について説明する。これらの図のうち、図１は本発明に係る安全採血装置の第１実施例を示す斜視図であり、図２は本発明に係る安全採血装置の第１実施例を示す部分分解斜視図であり、図３は本発明に係る安全採血装置の作動部材を示す斜視図であり、図４は本発明に係る安全採血装置の作動部材を示す分解斜視図であり、図５は本発明に係る安全採血装置の使用前状態を示す断面図であり、AとBは夫々異なる角度の断面図である。
【０００９】
図１、図２及び図５に示すように、本発明に係る安全採血装置は、その基本構成として、本体（１０）と、針座（３０）と、作動部材とを備える。
このうち、該本体（１０）は、第１側カバー（１２）と、第２側カバー（１４）と、前カバー部（１６）と、後リング（１８）と、後カバー（１９）からなると共に、作動部材の外側に設けられる。
【００１０】
前記第１側カバー（１２）と第２側カバー（１４）は、相互に結合される半円形のプレートであり、その内側の下部に夫々間隔の位置決め部（１２０）（１４０）が設けられると共に、上端と下端に夫々C字形溝（１２４）（１４４）が形成され、該第１側カバー（
１２）の中央に溝（１２２）が形成される。
【００１１】
前記前カバー部（１６）は、上端に第１側カバー（１２）と第２側カバー（１４）を収容するため開口が形成される筒体であり、その上端の内側に第１側カバー（１２）と第２側カバー（１４）の下端におけるC字形溝（１２４）（１４４）と係合される係合リング
（１６０）が設けられる。
【００１２】
前記後リング（１８）は、前記本体（１０）の上端に設けられ、その下端の内側に第１側カバー（１２）と第２側カバー（１４）の上端におけるC字形溝（１２４）（１４４
）と係合される係合リング（符号なし）が設けられる。
【００１３】
前記後カバー（１９）は、前記後リング（１８）を経由して作動部材と結合され、その下端に例えばねじ山のように結合端（１９０）が設けられる。
【００１４】
又、本発明に係る安全採血装置の針座（３０）の第１実施形態は、一端が開口端であると共に、他端が封閉端である外カバー（３１）と、中心プレート（３２）とを有し、該外カバー（３１）の内側に複数の凹部（３３）が形成されると共に、外側に複数のリブ（３５）が設けられ、開放端の付近に止め部（３９）が設けられると共に、封閉端の中央に貫通孔（３７）が形成される。前記外カバー（３１）の内部に下端が貫通孔（３７）から突出する中心プレート（３２）が設けられ、該中心プレート（３２）の上端に上ブロック（３４）が設けられ、該上ブロック（３４）の上端に外カバー（３１）の凹部（３３）と対応する突出ブロック（３６）が設けられると共に、下端の中心プレート（３２）の外側に第１弾力部材（３８）が設けられ、又、該中心プレート（３２）の中段に針（３２２）が内蔵されると共に、該針（３２２）に対応する中心プレート（３２）の外側に折り部（３２０）が設けられる。
【００１５】
前記針座（３０）は、これに代えて、図１０乃至図１２に示す第２実施形態の針座（３０’）を採用しても良い。
図１０は本発明に係る安全採血装置の針座の第２実施例を示す分解斜視図であり、図１１は本発明に係る安全採血装置の針座の第２実施例を示す断面図であり、図１２は本発明に係る安全採血装置の針座の第２実施例を示す他の断面図である。
これら図に示すように、本発明に係る安全採血装置の針座（３０’）の第２実施形態は、一端が開口端であると共に、他端が封閉端である外カバー（３１’）と、中心プレート（３２’）とを有し、該外カバー（３１’）の内側に複数の凹部（３３’）が形成されると共に、外側に複数のリブ（３５’）が設けられ、開放端の付近に止め部（３９’）が設けられると共に、封閉端の中央に貫通孔（３７’）が形成され、又、封閉端の付近における外カバー（３１’）の内側にテーパー部（３１０’）が形成される。
【００１６】
前記外カバー（３１’）の内部に下端が貫通孔（３７’）から突出する中心プレート（３２’）が設けられ、該中心プレート（３２’）の上端に上ブロック（３４’）が設けられ、該上ブロック（３４’）の上端に外カバー（３１’）の凹部（３３’）と対応する突出ブロック（３６’）が設けられ、前記上ブロック（３４’）の下方における中心プレート（３２’）の外側にテーパー部（３１０’）の上部と接触する第３弾性プレート（３８’）が設けられ、該第３弾性プレート（３８’）の相隣側に第２突出ブロック（３２０’）が設けられている。                          突出ブロック（３６’）と第２突出ブロック（３２０’）の外側に夫々凹部（３３’）と接触する係合ブロック（３６０’）（３２２’）が設けられている。又、該中心プレート（３２’）の中段に針（３２４’）が内蔵されると共に、該針（３２４’）に対応する中心プレート（３２’）の外側に折り部（３２６’）が設けられることにより、折りブロック（３２８’）が形成される。使用時、該折りブロック（３２８’）を折り部（３２６’）に沿って中心プレート（３２’）と分離させ、上ブロック（３４’）を押圧すると、該第３弾性プレート（３８’）がテーパー部（３１０’）に沿って針（３２４’）を貫通孔（３７’）から露出させ、又、上ブロック（３４’）を押圧しないと、第３弾性プレート（３８’）の付勢力によって中心プレート（３２’）を元の位置に戻る。
【００１７】
再び、図３乃至図５に戻って作動部材について説明すると、本実施形態の作動部材は、固定座（４０）と、押圧座（５０）と、制御部材（６０）と、押圧部材（７０）と、第２弾力部材（８０）と、を備える。
【００１８】
前記固定座（４０）は、内径が針座（３０）の外径と等しいパイプであり、外側に相互に平行すると共に、異なる外径を有する複数のリング状ブロック（４２）が設けられ、該リング状ブロック（４２）に夫々切欠き（４４）が形成されている。また、該固定座（４０）の上端の内側には、複数の位置決め溝（４６）が形成され、中段の内側には、前記押圧部材（７０）の移動を案内するために前記内径より小径の内径に形成された内フランジ状の係合ブロック（４８）が設けられ、該係合ブロック（４８）の上部における位置決め溝（４６）の下端に固定座（４０）の軸方向に沿った長方形の複数の貫通長孔（４９）が形成され、又、該固定座（４０）の下端に略十字形の案内溝（４１）が形成されると共に、内側に外カバー（３１）のリブ（３５）に対応する凹溝（４３）が形成されている。
【００１９】
前記押圧座（５０）は内径が該固定座（４０）の外径と等しいパイプであり、上端の外側には、上下方向において固定座（４０）の貫通長孔（４９）と相互に位置ずれすることができ、且つ固定座（４０）の円周方向において相互に位置ずれすることができない位置決めブロック（５２）が設けられ、該位置決めブロック（５２）の相隣側に制御ボタン（５４）が設けられると共に、該制御ボタン（５４）の下側に制御ロッド（５６）が設けられ、該制御ロッド（５６）の下端の内側には横断面がT字形の案内ブロック（５８）が設けられる。
【００２０】
前記制御部材（６０）は、図４及び図５に示されているように、外径が固定座（４０）の係合ブロック（４８）の上方における内径と等しいと共に、内径が固定座（４０）の係合ブロック（４８）の内径より小さく、該固定座（４０）の上部に位置すると共に、該固定座（４０）に挿入されるパイプである。また、この制御部材（６０）は、上部の外側に突出部（６２）が設けられると共に、下端の内側には、前記押圧部材（７０）の移動を許容するトリガーとなるための、固定座（４０）の係合ブロック（４８）の内径より小さい内径を有する止めリング（６６）が設けられ（図６に示す）、該突出部（６２）の下側に夫々制御部材の両側に位置する２つの突出ロッド（６３）が設けられている。また、夫々の該突出ロッド（６３）の下側には、自由端が制御部材（６０）から離れる第１弾性プレート（６４）が設けられ、又、前記制御部材（６０）の上端の内側にねじ山（符号なし）が設けられる。なお、本実施例においては、前記突出ロッド（６３）の下側は前記制御部材（６０）の外周壁に位置するものであるので、即ち、第１弾性プレート（６４）が前記制御部材（６０）の外周壁に設けられるものである。
【００２１】
前記押圧部材（７０）は、図５〜図９に示すように、前記固定座（４０）との関係では該押圧部材（７０）の全体が該固定座（４０）の内部に挿入されると共に、前記制御部材（６０）との関係では該押圧部材（７０）の一部である下端の外径が止めリング（６６）の内径より小さいロッドであり、中段に外径がより小さい頚部（７３）が形成され、上端に外径が止めリング（６６）の内径より大きく、前記制御部材（６０）の内部の中段下方に挿入されるヘッド（７１）が設けられ、該ヘッド（７１）の下側に頚部（７３）まで延伸され、自由端が押圧部材（７０）から離れると共に、前記係合ブロック（４８）に係離する複数の第２弾性プレート（７２）が設けられる。
【００２２】
次に、本発明に係る安全採血装置の組み立て手順について説明する。
図５に示すように、本発明に係る安全採血装置を組み合わせる際、外カバー（３１）のリブ（３５）が凹溝（４３）に沿って移動されることにより、針座（３０）が固定座（４０）の下端の内部に挿入される。次に、押圧部材（７０）が制御部材（６０）の内部に設置され、該制御部材（６０）の突出ロッド（６３）が固定座（４０）の位置決め溝（４６）に沿って移動されることにより、該制御部材（６０）が固定座（４０）の内部の係合ブロック（４８）上部に設置され、制御部材（６０）の第１弾性プレート（６４）が固定座（４０）の貫通長孔（４９）に位置されると共に、押圧部材（７０）の第２弾性プレート（７２）が固定座（４０）の係合ブロック（４８）の上端と接触され、該押圧部材（７０）の上方における制御部材（６０）の内部に第２弾力部材（８０）が設けられる。前記押圧座（５０）は固定座（４０）の上端を摺動可能に嵌入させると共に、制御ロッド（５６）が固定座（４０）の切欠き（４４）内に位置され、案内ブロック（５８）が案内溝（４１）に挿入される。
【００２３】
前記第１側カバー（１２）と第２側カバー（１４）が夫々固定座（４０）と押圧座（５０）の両側にカバーされ、第１側カバー（１２）の位置決め部（１２０）（１４０）と、固定座（４０）のリング状ブロック（４２）とが結合することにより、固定座（４０）を固定させ、前記制御ボタン（５４）が第１側カバー（１２）の溝（１２２）から露出される。
【００２４】
前記前カバー部（１６）は第１側カバー（１２）と第２側カバー（１４）の下端におけるC字形溝（１２４）（１４４）と結合されると共に、針座（３０）を位置決める。前記
後リング（１８）は第１側カバー（１２）と第２側カバー（１４）の上端におけるC字
形溝（１２４）（１４４）と結合されると共に、後カバー（１９）と制御部材（６０）を結合する。次に、後カバー（１９）の下端における結合端が制御部材（６０）の突出部（６２）と螺合されると共に、後カバー（１９）と押圧部材（７０）との間に第２弾力部材（８０）が設けられる。
【００２５】
次に、本発明に係る安全採血装置の作用と効果について説明する。
このうち、図５は前述したように、本発明に係る安全採血装置の使用前状態を示す断面図であり、AとBは夫々異なる角度の断面図である。図６は本発明に係る安全採血装置の使用後状態を示す断面図であり、AとBは夫々異なる角度の断面図であり、図７は本発明に係る安全採血装置の使用後、押圧部材と針座の接触状態を示す断面図であり、AとBは夫々異なる角度の断面図であり、図８は本発明に係る安全採血装置の針座を本体から取出状態を示す断面図であり、AとBは夫々異なる角度の断面図であり、図９は本発明に係る安全採血装置の本体に、新たな針座を設置する状態を示す断面図であり、AとBは夫々異なる角度の断面図である。
まず、図５に示すように、本発明に係る安全採血装置は、使用前状態においては、針座（３０）が中心プレート（３２）を外部に露出させた状態で固定座(４０)の下部に装着されている。この状態においては、第２弾力部材（８０）は、制御部材（６０）の内部において、押圧部材（７０）に対する下方への付勢力により、第１弾性プレート（７２）の自由端を係合ブロック（４８）の上端に押し付けて係止させている。
次に、図６に示すように、本発明に係る安全採血装置を使用する場合、針座（３０）の中心プレート（３２）の折り部（３２０）に沿って中心プレート（３２）を折ることにより、針（３２２）を露出させる。
すなわち、この図５〜図６に至る過程は、制御部材（６０）の第１弾性プレート（６４）の自由端が貫通長孔（４９）内を摺動移動して、係合ブロック（４８）の上端に到達するまでの工程である。
まず、後カバー（１９）を押圧しながら制御部材（６０）を押し下げることにより、後カバー（１９）と一体になって突出ロッド（６３）が固定座（４０）の位置決め溝（４６）に沿って下方に移動する。
この過程で制御部材（６０）は、その第１弾性プレート（６４）の自由端が固定座（４０）の貫通長孔（４９）の内部を摺動しつつ、下方に移動するが、止めリング（６６）も同時に下方に移動するため、その内部に位置する第２弾性プレート（７２）の２つの自由端をすぼめる。
図６は、第１弾性プレート（６４）の自由端が固定座（４０）の係合ブロック（４８）の上端に達し、当該２つの自由端が最もすぼまった状態示す縦断面図である。
次に、第２弾力部材（８０）の有する付勢力により、上記２つの第２弾性プレート（７２）が係合ブロック（４８）の内部を下降し、押圧部材（７０）の全体が下方に移動され、図７の状態となる。
この図７では、付勢された第２弾力部材（８０）の弾力により、もはや固定座（４０）の係合ブロック（４８）の上端に係止していない押圧部材（７０）の第２弾性プレート（７２）が制御部材（６０）の止めリング（６６）と固定座（４０）の係合ブロック（４８）の内部に移動されることにより、押圧部材（７０）の全体を下方に移動させる。
次に、該押圧部材（７０）の下端が針座（３０）の中心プレート（３２）を押圧し、針（３２２）を露出した後、第１弾力部材（３８）の付勢力によって直ちに図７の上方に収縮することにより、針（３２２）が針座（３０）から露出しない。
【００２６】
又、押圧部材（７０）の第２弾性プレート（７２）が固定座（４０）の係合ブロック（４８）の内部に移動された後、第２弾力部材（８０）が元の状態に戻り、後カバー（１９）、制御部材（６０）及び押圧部材（７０）が押圧された状態で、該安全採血装置を再使用できない。
【００２７】
又、図８に示すように、一回の使用後、該安全採血装置を再使用できない。押圧座（５０）の制御ボタン（５４）を第１側カバー（１２）の溝（１２２）に沿って下方へ押圧し、制御ロッド（５６）が固定座（４０）の案内溝（４１）に沿って移動すると共に、案内ブロック（５８）が針座（３０）を押圧することにより、針座（３０）を固定座（４０）から分離させる。この際、押圧座（５０）の位置決めブロック（５２）が貫通長孔（４９）の下部に位置されると共に、制御部材（６０）の第１弾性プレート（６４）が位置決めブロック（５２）の下部に位置される。即ち、前記制御部材（６０）の第１弾性プレート（６４）が前記位置決めブロック（５２）に係止されることにより、前記第１弾性プレート（６４）と位置決めブロック（５２）とは、互いに係離することができる。
【００２８】
次に、図９に示すように、新たな針座（３０）を固定座（４０）の底部に挿入すると、押圧座（５０）が上方へ移動され、位置決めブロック（５２）が制御部材（６０）の第１弾性プレート（６４）を上方へ連動させ、止めリング（６６）が押圧部材（７０）のヘッド（７１）を連動する。押圧座（５０）が上方へ移動することに伴い、制御部材（６０）、押圧部材（７０）、後カバー（１９）及び第２弾力部材（８０）を同時に上方へ移動させ、第１弾性プレート（６４）が貫通長孔（４９）に位置され、位置決めブロック（５２）が第１弾性プレート（６４）と分離されると共に、押圧部材（７０）の第２弾性プレート（７２）が係合ブロック（４８）と分離されることにより、該安全採血装置を再使用することができる。
【産業上の利用可能性】
【００２９】
本発明は上記の構成を有し、使用後には、必ず針座を交換した後でなければ、再使用できないので、採血を行った人にウィルスなどが感染されることはない。
【図面の簡単な説明】
【００３０】
【図１】本発明に係る安全採血装置の第１実施例を示す斜視図である。
【図２】本発明に係る安全採血装置の第１実施例を示す部分分解斜視図である。
【図３】本発明に係る安全採血装置の作動部材を示す斜視図である。
【図４】本発明に係る安全採血装置の作動部材を示す分解斜視図である。
【図５】本発明に係る安全採血装置の使用前状態を示す断面図であり、AとBは夫々異なる角度の断面図である。
【図６】本発明に係る安全採血装置の使用後状態を示す断面図であり、AとBは夫々異なる角度の断面図である。
【図７】本発明に係る安全採血装置の使用後、押圧部材と針座の接触状態を示す断面    図であり、AとBは夫々異なる角度の断面図である。
【図８】本発明に係る安全採血装置の針座を本体から取出状態を示す断面図であり、AとBは夫々異なる角度の断面図である。
【図９】本発明に係る安全採血装置の本体に、新たな針座を設置する状態を示す断面図であり、AとBは夫々異なる角度の断面図である。
【図１０】本発明に係る安全採血装置の針座の第２実施例を示す分解斜視図である。
【図１１】本発明に係る安全採血装置の針座の第２実施例を示す断面図である。
【図１２】本発明に係る安全採血装置の針座の第２実施例を示す他の断面図である。
【符号の説明】
【００３１】
１０        本体
１２        第１側カバー
１２０        位置決め部
１２２        溝
１２４        C字形溝
１４        第２側カバー
１４０        位置決め部
１４４        C字形溝
１６        前カバー部
１６０        係合リング
１８        後リング
１９        後カバー
１９０        結合端
２０        作動部材
３０        針座
３１        外カバー
３２        中心プレート
３２０        折り部
３２２        針
３３        凹部
３４        上ブロック
３５        リブ
３６        突出ブロック
３７        貫通孔
３８        第１弾力部材
３９        止め部
３０’      針座
３１’      外カバー
３１０’      テーパー部
３２’      中心プレート
３２０’      第２突出ブロック
３２２’      係合ブロック
３２４’      針
３２６’      折り部
３２８’      折りブロック
３３’      凹部
３４’      上ブロック
３５’      リブ
３６’      第１突出ブロック
３６０’      係合ブロック
３７’      貫通孔
３８’      第３弾性プレート
３９’      止め部
４０        固定座
４１        案内溝
４２        リング状ブロック
４３        凹溝
４４        切欠き
４６        位置決め溝
４８        係合ブロック
４９        貫通長孔
５０        押圧座
５２        位置決めブロック
５４        制御ボタン
５６        制御ロッド
５８        案内ブロック
６０        制御部材
６２        突出部
６３        突出ロッド
６４        第１弾性プレート
６６        止めリング
７０        押圧部材
７１        ヘッド
７２        第２弾性プレート
７３        頚部
８０        第２弾力部材
【図１】
0004538833.tif 000002
【図２】
0004538833.tif 000003
【図３】
0004538833.tif 000004
【図４】
0004538833.tif 000005
【図５】
0004538833.tif 000006
【図６】
0004538833.tif 000007
【図７】
0004538833.tif 000008
【図８】
0004538833.tif 000009
【図９】
0004538833.tif 000010
【図１０】
0004538833.tif 000011
【図１１】
0004538833.tif 000012
【図１２】
0004538833.tif 000013